(57)【要約】【課題】地震等の異常事態が発生した際、水門のゲートを遅延なく開閉制御することのできる遠隔監視制御システムを提供する。【解決手段】本遠隔監視制御システム１の監視制御装置４は、地震計１３による検出内容及びゲート３の開閉制御に係るガイダンスの内容をパソコン６に送信した後、所定時間経過しても、パソコン６からのゲート３の開閉制御に係る指令を監視制御装置４の制御回路１２が受信しない場合には、ガイダンスの内容に従って、制御回路１２によりゲート３を開閉制御させる。これにより、管理者が何らかの事由により、ゲート３の開閉制御に係る指令をパソコン６から監視制御装置４に送信できない場合でも、ゲート３は、ガイダンスの内容に基いて開閉制御されるので、特に、緊急を要する場合、ゲート３を遅延なく開閉制御することができる。【選択図】図１
0003129326.tif 000002
【実用新案登録請求の範囲】
【請求項１】
ゲート周辺に備えられ、該ゲートを開閉制御する監視制御装置と、
前記ゲートから遠方に位置する、前記監視制御装置と通信可能な端末機とを備え、
前記監視制御装置は、監視項目に沿った監視データを検出するための検出手段を有し、該検出手段による検出内容に基いて、前記ゲートの開閉制御に係るガイダンスの内容を前記端末機に送信すると共に、該端末機からの前記ゲートの開閉制御に係る指令を受信して前記ゲートを開閉制御する機能を備え、しかも、前記ゲートの開閉制御に係るガイダンスの内容を前記端末機に送信した後、所定時間前記端末機からの前記ゲートの開閉制御に係る指令を受信しない場合には、ガイダンスの内容に基いて、前記ゲートを開閉制御する機能を備えていることを特徴とする遠隔監視制御システム。
【請求項２】
前記端末機は、前記ゲートから遠方に位置する管理施設内に備えられ、前記監視制御装置と専用回線を介して接続されたパソコンであることを特徴とする請求項１に記載の遠隔監視制御システム。
【請求項３】
前記監視制御装置には、管理者が携帯し、前記監視制御装置からの前記ゲートの開閉制御に係る情報を受信可能な携帯電話が携帯電話網を介して接続されていることを特徴とする請求項１または２に記載の遠隔監視制御システム。
【請求項４】
前記ゲート周辺に監視カメラを備え、前記監視制御装置は、前記監視カメラからの前記ゲートの開閉動作の画像データを前記パソコン及び前記携帯電話に送信する機能を備えていることを特徴とする請求項３に記載の遠隔監視制御システム。
【考案の詳細な説明】
【技術分野】
【０００１】
本考案は、陸閘を含む水門を開閉するゲートの遠隔監視制御システムに関するものである。
【背景技術】
【０００２】
近年の遠隔監視制御システムでは、異常事態、例えば河川が増水して水位が大きく変動した際には、水門付近に備えられた水位計等により得られる水位変動の監視データが、ゲートから遠方に位置する管理施設内のパソコンに送信され、管理者がパソコンに表示された監視データを確認した上で、ゲートの開閉制御の必要性を判断して、開閉制御が必要と判断した場合には遠隔操作でゲートの開閉制御を行い、河川水位の調整を行っていた。
しかしながら、上述した遠隔監視制御システムでは、管理者がゲートの開閉制御を適正に判断するためには、管理者は管理施設に常駐すると共に、パソコンの近くに待機して、表示される監視データを常時監視する必要がある。そして、管理者は、パソコンに表示された監視データに基いて、ゲートの開閉制御を適正に、且つ迅速に判断して、ゲートの開閉制御を行わなければならず、管理者に大きな負担が強いられていた。
【０００３】
そこで、上述した問題点を解決した従来の監視制御システムとして、特許文献１には、水門における河川水位の観測データを収集して、その観測データが予め設定されてあった一定の条件下に到達した際、観測データを予め指定されてあった携帯端末にメール送信し、このメール送信を受けた携帯端末において水門の制御について判断し、その判断を基に管理者がインターネットを経由して水門の開閉操作の制御指令を行うことによって、河川水位等の観測データの情報収集と水門の制御の必要性についての判断を容易にすると共に、監視作業を簡易化して、水門の監視制御を適正に、且つ迅速に達成することができる監視制御システムが開示されている。
【特許文献１】特開２００２−３０２９２６号公報
【考案の開示】
【考案が解決しようとする課題】
【０００４】
上述したように、特許文献１に開示された監視制御システムでは、収集された観測データが予め設定されてあった一定の条件下に到達した際、観測データを予め指定されてあった携帯端末にメール送信し、このメール送信を受けた携帯端末において水門の制御について判断して、管理者が必要に応じて携帯端末からインターネットを経由して水門の開閉制御の指令を送信するシステムが構成されている。
しかしながら、この特許文献１に開示された監視制御システムでは、携帯端末が受信不能な場所にある場合等、管理者が水門制御等の情報を得ることができず、携帯端末から水門の開閉制御の指令を行うことができないという事態が発生する虞があり、特に、緊急を要する場合には、ゲートの開閉制御の遅延により重大な不都合が生じる虞がある。
【０００５】
本考案は、かかる点に鑑みてなされたものであり、地震等の異常事態が発生した際、水門のゲートを遅延なく開閉制御することのできる遠隔監視制御システムを提供することを目的とする。
【課題を解決するための手段】
【０００６】
本考案は、上記課題を解決するための手段として、請求項１に記載した遠隔監視制御システムの考案は、ゲート周辺に備えられ、該ゲートを開閉制御する監視制御装置と、前記ゲートから遠方に位置する、前記監視制御装置と通信可能な端末機とを備え、前記監視制御装置は、監視項目に沿った監視データを検出するための検出手段を有し、該検出手段による検出内容に基いて、前記ゲートの開閉制御に係るガイダンスの内容を前記端末機に送信すると共に、該端末機からの前記ゲートの開閉制御に係る指令を受信して前記ゲートを開閉制御する機能を備え、しかも、前記ゲートの開閉制御に係るガイダンスの内容を前記端末機に送信した後、所定時間前記端末機からの前記ゲートの開閉制御に係る指令を受信しない場合には、ガイダンスの内容に基いて、前記ゲートを開閉制御する機能を備えていることを特徴とするものである。
このように構成することにより、監視制御装置は、監視項目、例えば地震に係る監視データを検出するための検出手段である地震計を有し、該地震計により所定以上の震度が検出されると、監視制御装置から、例えば「ゲートを自動で全閉しますがよろしいですか？（ＹＥＳｏｒＮＯ）」等のガイダンスが端末機に送信されその表示画面に表示されて、管理者はその情報を基に、ゲートの開閉制御に係る指令（ＹＥＳｏｒＮＯ）を端末機から監視制御装置に送信して、監視制御装置によりゲートが開閉制御される。
また、監視制御装置は、「ゲートを自動で全閉しますがよろしいですか？（ＹＥＳｏｒＮＯ）」等のガイダンスを端末機に送信した後、所定時間端末機からのゲートの開閉制御に係る指令（ＹＥＳｏｒＮＯ）が受信されない場合には、ガイダンスの内容に基いて、ゲートを開閉制御する。
【０００７】
請求項２に記載した遠隔監視制御システムの考案は、請求項１に記載した考案において、前記端末機は、前記ゲートから遠方に位置する管理施設内に備えられ、前記監視制御装置と専用回線を介して接続されたパソコンであることを特徴とするものである。
このように構成することにより、管理者は、パソコンの表示画面に表示されたガイダンスの内容を確認した上で、ゲートの遠隔操作が可能となる。
【０００８】
請求項３に記載した遠隔監視制御システムの考案は、請求項１または２に記載した考案において、前記監視制御装置には、管理者が携帯し、前記監視制御装置からの前記ゲートの開閉制御に係る情報を受信可能な携帯電話が携帯電話網を介して接続されていることを特徴とするものである。
このように構成することにより、監視制御装置と端末機とが通信不能となり、監視制御装置からのゲートの開閉制御に係るガイダンスの内容を端末機が受信することができず、監視制御装置によりゲートが自動で開閉制御された場合、ゲートの開閉制御に係る情報、例えば、「ゲートを全閉しました」等の情報が、監視制御装置から管理者が携帯する携帯電話に送信される。
【０００９】
請求項４に記載した遠隔監視制御システムの考案は、請求項３に記載した考案において、前記ゲート周辺に監視カメラを備え、前記監視制御装置は、前記監視カメラからの前記ゲートの開閉動作の画像データを前記パソコン及び前記携帯電話に送信する機能を備えていることを特徴とするものである。
このように構成することにより、ゲートが正常に開閉制御されたか否かを、現場へ行かずにパソコン及び携帯電話に表示された監視カメラからの画像データにより確認することが可能となる。
【考案の効果】
【００１０】
請求項１に記載した遠隔監視制御システムの考案によれば、監視制御装置は、特に、監視制御装置からゲートの開閉制御に係るガイダンスの内容を端末機に送信した後、所定時間端末機からのゲートの開閉制御に係る指令が受信されない場合には、ガイダンスの内容に基いて、ゲートを開閉制御する機能を備えており、監視制御装置と端末機とが通信不能となり、監視制御装置からのゲートの開閉制御に係るガイダンスの内容を端末機が受信することができない場合や、管理者が何らかの事由により端末機に表示された監視制御装置からのガイダンスの内容を確認できず、ゲートの開閉制御に係る指令を送信することができない場合でも、ガイダンスの内容を端末機に送信後所定時間経過すれば、監視制御装置によってゲートが開閉制御されるので、特に、緊急を要する場合、ゲートを遅延なく開閉制御することができる。
【００１１】
請求項２に記載した遠隔監視制御システムの考案によれば、端末機は、ゲートから遠方に位置する管理施設内に備えられ、監視制御装置と専用回線を介して接続されたパソコンであり、管理者は、パソコンの表示画面に表示されたガイダンスの内容を確認した上で、ゲートの遠隔操作が可能となるので、非常に実用的である。
【００１２】
請求項３に記載した遠隔監視制御システムの考案によれば、監視制御装置には、管理者が携帯し、監視制御装置からのゲートの開閉制御に係る情報を受信可能な携帯電話が携帯電話網を介して接続されているので、監視制御装置と端末機とが通信不能になった場合でも、異常事態が発生した際には、監視制御装置によりガイダンスの内容に基いて自動で開閉制御されたゲートの情報が、監視制御装置から管理者が携帯する携帯電話に送信されるので、管理者は、異常事態の際のゲートの状態を把握することができる。
【００１３】
請求項４に記載した遠隔監視制御システムの考案によれば、管理者は監視カメラで撮影したゲートの開閉動作に係る画像データを管理施設内のパソコン及び管理者が携帯する携帯電話で確認できるので、現場へ行かずに、ゲートが正常に開閉制御されたか否かを確認することができる。
【考案を実施するための最良の形態】
【００１４】
以下、本考案を実施するための最良の形態を図１に基いて詳細に説明する。
本考案の実施の形態に係る遠隔監視制御システム１は、陸閘２を含む水門を開閉するゲート３周辺に備えられた制御盤１６に収納される監視制御装置４と、ゲート３周辺に備えられ、ゲート３の開閉動作を撮影する監視カメラ５と、ゲート３から遠方に位置する、監視制御装置４と専用回線を介して通信可能なパソコン（端末機）６とを備えている。
【００１５】
監視制御装置４は、Ｗｅｂサーバ１０と、メールサーバ１１と、ゲート３を開閉制御する制御回路１２と、監視項目である地震の震度を検出する地震計（検出手段）１３とを備えている。なお、本実施の形態では、地震計１３は、制御盤１６内に配置されているが、この地震計１３は、制御盤１６内に限らず、正確な監視データを得られるゲート３周辺の適宜場所に配置されても良い。
Ｗｅｂサーバ１０は、監視カメラ５からのゲート３の画像データ及びゲート３の開閉制御に係るガイダンスの内容等の文書データを蓄積しその情報をパソコン６に送信すると共に、パソコン６からのゲート３の開閉制御に係る信号を制御回路１２に出力するものである。
制御回路１２は、地震計１３により所定以上の震度が検出されると、その信号に基いて、ゲート３の開閉制御に係るガイダンスの内容をＷｅｂサーバ１０を経由してパソコン６へ送信すると共に、ゲート３を開閉制御する。
【００１６】
そして、監視制御装置４は、地震計１３により所定以上の震度が検出されると、その信号が制御回路１２に入力されると共に、該制御回路１２からゲート３の開閉制御に係るガイダンスの内容がパソコン６に送信され、該パソコン６からのゲート３の開閉制御に係る指令を制御回路１２が受信して、該制御回路１２によりゲート３を開閉制御する。また、この監視制御装置４は、制御回路１２からゲート３の開閉制御に係るガイダンスの内容をパソコン６に送信し、所定時間経過した後、パソコン６からのゲート３の開閉制御に係る指令を制御回路１２が受信しない場合には、ガイダンスの内容に基いて、制御回路１２によりゲート３を開閉制御する。さらに、この監視制御装置４は、監視カメラ５からの画像データ、すなわち、ゲート３の開閉動作の同一アングルの動画をパソコン６に送信する。なお、詳細な監視制御装置４の作用は、後で説明する。
【００１７】
パソコン６は、ゲート３から遠方に位置する管理施設２０内に備えられており、監視制御装置４とパソコン６とは、無線ＬＡＮまたは光ネットワーク等（本実施の形態では無線ＬＡＮ）の専用回線を介して接続されている。
また、本遠隔監視制御システム１では、監視制御装置４に、管理者が携帯し、監視制御装置４からのゲート３の開閉制御に係る情報を受信可能な携帯電話７が携帯電話網を介して接続されている。
監視カメラ５は、ゲート３周辺に備えられ、ゲート３の開閉動作を撮影して、その画像データを監視制御装置４のＷｅｂサーバ１０へ送信するものである。
【００１８】
次に、本考案の実施の形態に係る遠隔監視制御システム１の作用を説明する。
地震等の異常事態が発生した際、監視制御装置４の地震計１３により所定以上の震度が検出されると、その信号が監視制御装置４の制御回路１２に入力されると共に、該制御回路１２からゲート３の開閉制御に係るガイダンスの内容がＷｅｂサーバ１０を経由し、ＨＵＢ１４及び無線ＬＡＮを介して管理施設２０内のパソコン６に送信される。そして、パソコン６の表示画面には、地震計１３による検出内容及びゲート３の開閉制御に係るガイダンス、例えば、「ゲートを自動で全閉しますがよろしいですか？（ＹＥＳｏｒＮＯ）」等が表示される。
次に、管理者は、パソコン６の表示画面の内容を確認して、該パソコン６に、例えば、ゲート３を自動で閉制御する旨の信号（ＹＥＳ）を入力する。すると、その信号が無線ＬＡＮを介して監視制御装置４のＨＵＢ１４を経由しＷｅｂサーバ１０から制御回路１２に入力されて、該制御回路１２によりゲート３が閉制御される。
【００１９】
ところで、監視制御装置４から地震計１３による検出内容及び上述したようなゲート３の開閉制御に係るガイダンスの内容をパソコン６に送信した後、所定時間経過しても、パソコン６からのゲート３の開閉制御に係る指令を監視制御装置４の制御回路１２が受信しない場合には、ガイダンスの内容に基いて、制御回路１２によりゲート３が自動で開閉制御される。
そして、例えば、ゲート３の閉動作が開始されると、監視カメラ５によりゲート３の閉動作が撮影されると共に、その画像データ、すなわち、ゲート３の閉動作の同一アングルの動画が監視制御装置４のＷｅｂサーバ１０からパソコン６に送信されて、その表示画面に表示される。
また、ゲート３の全閉制御に係る情報、すなわち、ゲート３の全閉状態の静止画及びゲート３の全閉状態を示す文言、例えば「ゲートが全閉しました」等が、監視制御装置４のＷｅｂサーバ１０、メールサーバ１１からＰＨＳ１５を経由し携帯電話網を介して携帯電話７に送信されて、その表示画面に表示される。
【００２０】
以上説明したように、本考案の実施の形態に係る遠隔監視制御システム１によれば、監視制御装置４は、特に、ゲート３の開閉制御に係るガイダンスの内容をパソコン６に送信した後、所定時間経過しても、パソコン６からのゲート３の開閉制御に係る指令を制御回路１２が受信しない場合には、ガイダンスの内容に従って、該制御回路１２によりゲート３を開閉制御する機能を有している。
これにより、監視制御装置４とパソコン６とを接続する無線ＬＡＮが通信不能となり、監視制御装置４からのゲート３の開閉制御に係るガイダンスの内容をパソコン６が受信することができない場合や、管理者が何らかの事由により、パソコン６の表示画面に表示された監視制御装置４からのゲート３の開閉制御に係るガイダンスの内容を確認できず、ゲート３の開閉制御に係る指令をパソコン６から監視制御装置４へ送信することができない場合でも、監視制御装置４からパソコン６にガイダンスの内容を送信した後所定時間経過すれば、ガイダンスの内容に基いて、監視制御装置４によりゲート３が開閉制御されるので、特に、緊急を要する場合、ゲート３を遅延なく開閉制御することができる。
【００２１】
また、本考案の実施の形態に係る遠隔監視制御システム１では、監視制御装置４には、監視制御装置４からのゲート３の開閉制御に係る情報を受信可能な携帯電話７が携帯電話網を介して接続されているので、監視制御装置４とパソコン６とを接続する無線ＬＡＮが通信不能になり、監視制御装置４からのゲート３の開閉制御に係るガイダンスの内容をパソコン６が受信することができず、監視制御装置４によりゲート３が自動で開閉制御された場合、監視制御装置４からゲート３の開閉制御に係る情報、すなわち、ゲート３の全閉状態の静止画や「ゲートを全閉しました」の文言等が、管理者が携帯する携帯電話７に送信され、管理者は異常事態の際のゲート３の状態を把握することができる。
【００２２】
しかも、本考案の実施の形態に係る遠隔監視制御システム１では、監視カメラ５によりゲート３の開閉動作が撮影されて、その画像データが監視制御装置４のＷｅｂサーバ１０からパソコン６及び携帯電話７に送信されるので、管理者は、現場へ行かずに、ゲート３が正常に開閉制御されたか否かを確認することができる。
【００２３】
なお、本考案の実施の形態に係る遠隔監視制御システム１では、パソコン６及び携帯電話７は各１台設定されているが、必要に応じた適宜の台数を設定してもよい。
【００２４】
また、本考案の実施の形態に係る遠隔監視制御システム１では、監視項目が地震発生の有無であり、検出手段として地震の震度を検出する地震計１３が採用されているが、監視項目が河川等の水位変動であれば検出手段には水位計が採用され、検出手段は監視項目の内容に沿ったものが採用される。
【００２５】
さらに、本考案の実施の形態に係る遠隔監視制御システム１では、携帯電話７には、開閉制御されたゲート３の状態が情報として送信されるだけであるが、携帯電話７にもパソコン６と同様に監視制御装置４からのゲート３の開閉制御に係るガイダンスの内容を送信すると共に、その情報に基いて、管理者が携帯電話７からゲート３の開閉制御に係る指令を監視制御装置４に送信して、ゲート３を開閉制御させる構成にすることも可能である。
【図面の簡単な説明】
【００２６】
【図１】図１は、本考案の実施の形態に係る遠隔監視制御システムを示す模式図である。
【符号の説明】
【００２７】
１  遠隔監視制御システム，３  ゲート，４  監視制御装置，５  監視カメラ，６  パソコン（端末機），７  携帯電話，１２  制御回路，１３  地震計（検出手段），２０  管理施設
【図１】
0003129326.tif 000003